(57)【要約】【課題】  転倒防止対策が施されていて、見栄えが良好であり、低コストで、組み立て容易な組み合わせ式収納ラックを提供すること。【解決手段】  パーツを組み合わせて積層することで構成する収納ラックであって、少なくとも物品を収納する位置となる中間部に空隙を有するパーツを、複数、上下方向に積層して、積層体を構成すると共に、その積層体と天井との間の空間にもパーツを設けて、積層体を設置場所に固定することで設置の安定性を得る。【選択図】  図１
2006262976.tif 000002
【特許請求の範囲】
【請求項１】
パーツを組み合わせて積層することで構成する収納ラックであって、
少なくとも物品を収納する位置となる中間部に空隙を有するパーツを、複数、上下方向に積層して、積層体を構成すると共に、
その積層体と天井との間の空間にもパーツを設けて、積層体を設置場所に固定することで、設置の安定性を得る
ことを特徴とする組み合わせ式収納ラック。
【請求項２】
パーツ同士が接合される上下面に、互いに嵌合する凹凸部位を設けた
請求項１に記載の組み合わせ式収納ラック。
【発明の詳細な説明】
【技術分野】
【０００１】
本発明は、転倒防止機能を有する組み合わせ式の収納ラックに関する。
【背景技術】
【０００２】
箪笥など、転倒防止器具の付いた収納ケースは、既に公知である。例えば、特許文献１が挙げられる。
【特許文献１】特開平１１−７５９７６
【０００３】
このような従来技術によると、天井と据え置き家具との隙間を支柱のジャッキ式（ケース高さ調整）で行っていること等から構造が複雑であり、構成部品多く製造原価が高く見栄え等から部屋との調和が難しい。
組み立て式家具は、従来から少なくないが、構造が複雑でないにもかかわらず耐震性能や、据え置き家具や部屋との調和を有した収納ラックは皆無である。
【０００４】
また、従来品は、地震の際の転倒防止対策が、面倒であったり、見栄えが悪いことや、製造コスト的に見て高価である。そのため、地震の際の死亡原因の約８割が、家具類の倒壊による圧迫死であることを周知しながら、一般的に普及されていないのが現状である。
【発明の開示】
【発明が解決しようとする課題】
【０００５】
そこで、本発明は、転倒防止対策が施されていて、見栄えが良好であり、低コストで、組み立て容易な組み合わせ式収納ラックを提供することを課題とする。
【課題を解決するための手段】
【０００６】
上記課題を解決するために、本発明の組み合わせ式収納ラックは、次の構成を備える。
すなわち、パーツを組み合わせて積層することで構成する収納ラックであって、少なくとも物品を収納する位置となる中間部に空隙を有するパーツを、複数、上下方向に積層して、積層体を構成すると共に、その積層体と天井との間の空間にもパーツを設けて、積層体を設置場所に固定することで、設置の安定性を得ることを特徴とする。
ここで、パーツ同士が接合される上下面に、互いに嵌合する凹凸部位を設けてもよい。
【発明の効果】
【０００７】
本発明によると、高さの異なるパーツを積層して収納ラックの高さ調整ができ、また、構造が複雑でないにもかかわらず耐震性能や、据え置き家具や部屋との調和を得られる。
【発明を実施するための最良の形態】
【０００８】
以下、本発明の実施形態について、図面を基に説明する。
本発明品は、据え置き家具の上に天井があることを対象とするが、以下では、好適実施例として、縦78〜82ｃｍ程度の収納ラックを1例上げて説述する。
尚、収納ラックは横幅が長く奥行きがある方が耐震性にすぐれていること及び、組み立て後インテリアシートを貼り付けて一体させる事を基本（シート無しの場合：パーツ表面にプリントを施し接着剤を使用し一体化）とするが、本発明の構成は、その主旨から逸脱しない限り適宜設計変更可能なものである。
【０００９】
本発明の収納ラックは、図1で示す構成部品A,B,C,D,E,F,G,H,X及び、図2で示す補助部品、2：粘着シート、3：両面テープ、 4：スポンジシート・発泡ウレタン等（図1  K）を備える。
【００１０】
図1、2、3は、収納ラックの平面図、正面図、正面図Y-Yの断面図である。
構成部品A,B,C,D,E,F,G,H,K,Xの基本縦寸法はA：5ｃｍ、B：1cm、C：3cm、D：6cm、E：10cm、F：20cm、G：25cm、H：5cm、K：5cm（1〜5cm）、X：2cmであり、積層の組み合わせにより高さを簡易に変更できる。
【００１１】
図2、図3の示す通り、外周表面に張り付けるインテリアシート2（ペーパー又はフイルム状）が収納ラックの表面に貼り付けられ、収納ラックを一体化させズレ強度を向上させるとともに、据え置き家具や部屋と調和したシートを選択できる。
また、両面テープ3は、振動・風等でズレないよう収縮性のある両面テープを各コーナーに４箇所貼り付けられており、さらに地震の際の荷重を緩衝させる為収縮性のあるスポンジシート・発泡ウレタン等 ４が上面に貼り付けられている。
【００１２】
図４は、パーツＡの平面図及び底面図である。
図において、パーツＡは、箱状の構造をしており、底面両サイドに凹を2箇所有し、組み立てる際のズレ防止（組み立て性向上）及び完成品強度の補強を図ることができる。
また、パーツAは、地震の際、天井に一番近い箇所にあり荷重を受けやすい箇所であることから、地震振動の応力が部分的に生じても箱状にすることにより荷重を分散し破壊強度を補強する構造をしている。
【００１３】
同様に、図5パーツＢは、縦1cmのコの字状構造をしており、平面両サイドに凸（テーパー状）と底面両サイドに凹を2箇所有し、組み立てる際のズレ防止（組み立て性向上）及び完成品強度の補強を図ることができる。
【００１４】
図6パーツCは、縦3cmのコの字状構造をしており、平面両サイドに凸（テーパー状）と底面両サイドに凹を2箇所有し、組み立てる際のズレ防止（組み立て性向上）及び完成品強度の補強を図ることができる。
【００１５】
図7パーツDは、縦6cmのコの字状構造をしており、平面両サイドに凸（テーパー状）と底面両サイドに凹を2箇所有し、組み立てる際のズレ防止（組み立て性向上）及び完成品強度の補強を図ることができる。
【００１６】
図8パーツEは、縦10cmのコの字状構造をしており、平面両サイドに凸（テーパー状）と底面両サイドに凹を2箇所有し、組み立てる際のズレ防止（組み立て性向上）及び完成品強度の補強を図ることができる。
【００１７】
図9パーツFは、縦20cmのコの字状構造をしており、平面両サイドに凸（テーパー状）と底面両サイドに凹を2箇所有し、組み立てる際のズレ防止（組み立て性向上）及び完成品強度の補強を図ることができる。
【００１８】
図10パーツGは、縦25cmのコの字状構造をしており、平面両サイドに凸（テーパー状）と底面両サイドに凹を2箇所有し、組み立てる際のズレ防止（組み立て性向上）及び完成品強度の補強を図ることができる。
【００１９】
図11パーツHは、箱状の構造をしており、平面両サイドに凸（テーパー状）2箇所有し、組み立てる際のズレ防止（組み立て性向上）及び完成品強度の補強を図ることができる。
また、パーツＨは、地震の際、直接荷重を受ける箇所であることから、地震振動の応力が部分的に生じても箱状にすることにより荷重を分散し破壊強度を補強する構造をしていること及び、多少の地震振動では収納物がズレ落ちない構造をしている。
【００２０】
図12パーツXは、縦2cmの平板構造をしており、平面両サイドに凸（テーパー状）と底面両サイドに凹を2箇所有し、組み立てる際のズレ防止（組み立て性向上）及び完成品強度の補強を図ることができる。
また、パーツXは、収納物の高さに応じ組み入れることで収納ラック内を分割（高さによっては3〜4分割可能）することができる。また、収納ラック内を分割することにより完成品の強度も補強される。
【００２１】
図13パーツGは、前記に示した図10と同様の構造をしているが、奥側面を円形にくり貫いている。
円形にくり貫く（約10cm程度）ことにより、上下左右の荷重が1箇所に集中した場合、荷重分散され完成品の破壊強度が補強される。
【００２２】
図14  正面図２  2粘着シートは、表面にイラストや絵柄等がプリントされており、裏面は粘着が施されているペーパーもしくはフイルム状のものである。
前記の粘着シートを外周に貼り付けることにより、積層された収納ラックがより一層一体化し、ズレ防止及び完成品強度の補強を図ることができる。
【００２３】
図15  正面図２  3両面テープは、上下収縮性のある両面テープであり、パーツHの底面各コーナー４箇所に貼り付け据え置き家具とを接着させることにより振動・風等で生じるズレを防止する。
【００２４】
図16  正面図２  ４スポンジシート・発泡ウレタン等（図1  K）は、天井との隙間をうめることができ、収納ラック及び天井部分が軟弱な場合荷重を緩衝させ破壊を防止する為のものである。
【００２５】
積層例として、高さ50cm、40cm、35cmの場合を、図17に示す。
【００２６】
以上のように、本発明の収納ラックは、高さの異なる中間部を輪切り状態にしたものを積層することによって、天井との高さ調整が行なえることから、構造も複雑でなく、素材も発泡スチロールやウレタン等の緩衝材等で構成でき、全体での重量も軽く製造原価も安価である。
また、外周表面にインテリアシート（粘着シート）を自ら選んで張り合わせることにより、据え置き家具や部屋と調和した収納インテリアラックを購入者でも簡易に組み立てることができる。
【００２７】
従来では、地震の際、据え置き家具が上下左右に揺れ支えが無いため前面に倒壊するが、本発明では、据え置き家具と天井との間を積層構造の収納ラックで隙間を埋めることにより、天板と据え置き家具の間にかかる荷重を収納ラックが緩衝するとともに、据え置き家具が前面に転倒しようとする際の応力を収納ラックが支え転倒を防止できる。
【００２８】
また、パーツが緩衝材で構成されていること、及び、収納ラックの上下部が広い面積を有する為、地震の際荷重が広く分散されて部分的に大きな荷重が掛からないので家具を傷めないようにする効果もある。
【産業上の利用可能性】
【００２９】
本発明の収納ラックは、誰にでも簡単に設置でき、構造が複雑でないことから製造原価を低コストで製造できることから価格を低く販売できることができる。また、据え置き家具や部屋との調和をくずさず収納にも役立つものである。そのため、個人の家庭での使用に限らず、会社や学校等の公共施設においても有効であり、産業上利用価値が高い。
【図面の簡単な説明】
【００３０】
【図１】収納ラックの平面図
【図２】同、正面図
【図３】同、Y-Y断面図
【図４】パーツＡの平面図及び底面図
【図５】パーツＢの平面図及び底面図
【図６】パーツＣの平面図及び底面図
【図７】パーツＤの平面図及び底面図
【図８】パーツＥの平面図及び底面図
【図９】パーツＦの平面図及び底面図
【図１０】パーツＧの平面図及び底面図
【図１１】パーツＨの平面図及び底面図
【図１２】パーツＸの平面図及び底面図
【図１３】パーツＧの変形構造平面図及び底面図
【図１４】粘着シート（図２における2）
【図１５】両面テープ（図２における3）
【図１６】スポンジシート（図２における4）
【図１７】積層例の構成を示す表
【図１】
2006262976.tif 000003
【図２】
2006262976.tif 000004
【図３】
2006262976.tif 000005
【図４】
2006262976.tif 000006
【図５】
2006262976.tif 000007
【図６】
2006262976.tif 000008
【図７】
2006262976.tif 000009
【図８】
2006262976.tif 000010
【図９】
2006262976.tif 000011
【図１０】
2006262976.tif 000012
【図１１】
2006262976.tif 000013
【図１２】
2006262976.tif 000014
【図１３】
2006262976.tif 000015
【図１４】
2006262976.tif 000016
【図１５】
2006262976.tif 000017
【図１６】
2006262976.tif 000018
【図１７】
2006262976.tif 000019